【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
第１の電極と、
第２の電極と、
第１および第２の電極間の光活性層とを備える物品であって、前記光活性層が電子供与材料と電子受容材料とを含み、
前記電子供与材料が、第１のポリマーと、第１のポリマーとは異なる第２のポリマーとを含み、第１のポリマーが、シラシクロペンタジチオフェン部位またはシクロペンタジチオフェン部位を含む第１のコモノマー繰り返し単位と、ベンゾチアジアゾール部位を含む第２のコモノマー繰り返し単位とを含み、第２のポリマーが、チオフェン部位を含むモノマー繰り返し単位を含み、第１のポリマーが第１のバンドギャップを有し、第２のポリマーが、第１のバンドギャップより高い第２のバンドギャップを有し、前記物品が光電池として構成されている、物品。
【請求項２】
第１のポリマーにおける第１のコモノマー繰り返し単位が、下記の式（１）のシラシクロペンタジチオフェン部位または式（２）のシクロペンタジチオフェン部位を含み、
【化１】
2012519964.tif 000001
Ｒ１、Ｒ２、Ｒ３およびＲ４が各々独立に、Ｈ、Ｃ１〜Ｃ２０アルキル、Ｃ１〜Ｃ２０アルコキシ、Ｃ３〜Ｃ２０シクロアルキル、Ｃ１〜Ｃ２０ヘテロシクロアルキル、アリール、ヘテロアリール、ハロ、ＣＮ、ＯＲ、Ｃ（Ｏ）Ｒ、Ｃ（Ｏ）ＯＲまたはＳＯ２Ｒであり、Ｒが、Ｈ、Ｃ１〜Ｃ２０アルキル、Ｃ１〜Ｃ２０アルコキシ、アリール、ヘテロアリール、Ｃ３〜Ｃ２０シクロアルキルまたはＣ１〜Ｃ２０ヘテロシクロアルキルである、請求項１に記載の物品。
【請求項３】
Ｒ１およびＲ２が各々独立に、Ｈ、Ｃ１〜Ｃ２０アルキル、Ｃ１〜Ｃ２０アルコキシ、Ｃ３〜Ｃ２０シクロアルキル、Ｃ１〜Ｃ２０ヘテロシクロアルキル、アリール、ヘテロアリールである、請求項２に記載の物品。
【請求項４】
Ｒ１およびＲ２が各々独立に、Ｃ１〜Ｃ２０アルキルである、請求項３に記載の物品。
【請求項５】
Ｒ１およびＲ２が各々２−エチルヘキシルまたはヘキシルである、請求項４に記載の物品。
【請求項６】
第１のポリマーにおける第２のコモノマー繰り返し単位が、下記の式（３）のベンゾチアジアゾール部位を含み、
【化２】
2012519964.tif 000002
Ｒ１およびＲ２が各々独立に、Ｈ、Ｃ１〜Ｃ２０アルキル、Ｃ１〜Ｃ２０アルコキシ、Ｃ３〜Ｃ２０シクロアルキル、Ｃ１〜Ｃ２０ヘテロシクロアルキル、アリール、ヘテロアリール、ハロ、ＣＮ、ＯＲ、Ｃ（Ｏ）Ｒ、Ｃ（Ｏ）ＯＲまたはＳＯ２Ｒであり、ＲがＨ、Ｃ１〜Ｃ２０アルキル、Ｃ１〜Ｃ２０アルコキシ、アリール、ヘテロアリール、Ｃ３〜Ｃ２０シクロアルキルまたはＣ１〜Ｃ２０ヘテロシクロアルキルである、請求項１に記載の物品。
【請求項７】
Ｒ１およびＲ２が各々独立にＨである、請求項６に記載の物品。
【請求項８】
第１のポリマーが、第１および第２のコモノマー繰り返し単位とは異なる第３のコモノマー繰り返し単位をさらに含み、第３のコモノマー繰り返し単位が、シラシクロペンタジチオフェン部位またはシクロペンタジチオフェン部位を含む、請求項１に記載の物品。
【請求項９】
第１のポリマーにおける第３のコモノマー繰り返し単位が、下記の式（１）のシラシクロペンタジチオフェン部位または式（２）のシクロペンタジチオフェン部位を含み、
【化３】
2012519964.tif 000003
Ｒ１、Ｒ２、Ｒ３およびＲ４が各々独立に、Ｈ、Ｃ１〜Ｃ２０アルキル、Ｃ１〜Ｃ２０アルコキシ、Ｃ３〜Ｃ２０シクロアルキル、Ｃ１〜Ｃ２０ヘテロシクロアルキル、アリール、ヘテロアリール、ハロ、ＣＮ、ＯＲ、Ｃ（Ｏ）Ｒ、Ｃ（Ｏ）ＯＲまたはＳＯ２Ｒであり、Ｒが、Ｈ、Ｃ１〜Ｃ２０アルキル、Ｃ１〜Ｃ２０アルコキシ、アリール、ヘテロアリール、Ｃ３〜Ｃ２０シクロアルキルまたはＣ１〜Ｃ２０ヘテロシクロアルキルである、請求項１に記載の物品。
【請求項１０】
第１のポリマーが次式を含み、ｎが１〜１０００の整数であり、ｍが１〜１０００の整数である、請求項１に記載の物品。
【化４】
2012519964.tif 000004
【請求項１１】
第２のポリマーにおける前記モノマー繰り返し単位が、下記の式（４）のチオフェン部位を含み、
【化５】
2012519964.tif 000005
Ｒ５、Ｒ６、Ｒ７およびＲ８が各々独立に、Ｈ、Ｃ１〜Ｃ２０アルキル、Ｃ１〜Ｃ２０アルコキシ、Ｃ３〜Ｃ２０シクロアルキル、Ｃ１〜Ｃ２０ヘテロシクロアルキル、アリール、ヘテロアリール、ハロ、ＣＮ、ＯＲ、Ｃ（Ｏ）Ｒ、Ｃ（Ｏ）ＯＲまたはＳＯ２Ｒであり、Ｒが、Ｈ、Ｃ１〜Ｃ２０アルキル、Ｃ１〜Ｃ２０アルコキシ、アリール、ヘテロアリール、Ｃ３〜Ｃ２０シクロアルキルまたはＣ１〜Ｃ２０ヘテロシクロアルキルである、請求項１に記載の物品。
【請求項１２】
Ｒ５およびＲ６の一方がヘキシルである、請求項１１に記載の物品。
【請求項１３】
第２のポリマーがポリ（３−ヘキシルチオフェン）を含む、請求項１２に記載の物品。
【請求項１４】
前記電子受容材料が、フラーレン、無機ナノ粒子、オキサジアゾール、ディスコティック液晶、カーボンナノロッド、無機ナノロッド、ＣＮ基含有ポリマー、ＣＦ３基含有ポリマーおよびそれらの組み合わせからなる群から選択される材料を含む、請求項１に記載の物品。
【請求項１５】
前記電子受容材料が置換フラーレンを含む、請求項１に記載の物品。
【請求項１６】
前記電子受容材料がＣ６０−ＰＣＢＭ、Ｃ７０−ＰＣＢＭ、ビス−Ｃ６０−ＰＣＢＭ、ビス−Ｃ７０−ＰＣＢＭを含む、請求項１５に記載の物品。
【請求項１７】
第１と第２とのポリマーの重量比が２０：１〜１：２０の範囲である、請求項１に記載の物品。
【請求項１８】
第１と第２とのポリマーの重量比が１：４である、請求項１に記載の物品。
【請求項１９】
第１のポリマー、第２のポリマーおよび前記電子受容材料がそれぞれ、第１のＨＯＭＯレベル、第２のＨＯＭＯレベルおよび第３のＨＯＭＯレベルを有し、第１のＨＯＭＯレベルが第２と第３のＨＯＭＯレベルの間である、請求項１に記載の物品。
【請求項２０】
第１のポリマー、第２のポリマーおよび前記電子受容材料がそれぞれ、第１のＬＵＭＯレベル、第２のＬＵＭＯレベルおよび第３のＬＵＭＯレベルを有し、第１のＬＵＭＯレベルが第２と第３のＬＵＭＯレベルの間である、請求項１に記載の物品。
【請求項２１】
前記電子供与材料と前記電子受容材料との重量比が１：１〜１：３の範囲である、請求項１に記載の物品。
【請求項２２】
前記電子供与材料と前記電子受容材料との重量比が１：１である、請求項２１に記載の物品。
【請求項２３】
前記光活性層が１５０ｎｍ以上の厚さである、請求項１に記載の物品。
【請求項２４】
前記物品がＡＭ１．５条件下で４％以上の電力変換効率を有する、請求項１に記載の物品。
【請求項２５】
第１の電極と、
第２の電極と、
第１および第２の電極間の光活性材料とを備える物品であって、前記光活性材料が電子供与材料と電子受容材料とを含み、
前記電子供与材料が、第１のポリマーと、第１のポリマーとは異なる第２のポリマーを含み、第１のポリマーが、シラシクロペンタジチオフェン部位またはシクロペンタジチオフェン部位を含む第１のコモノマー繰り返し単位と、ベンゾチアジアゾール部位を含む第２のコモノマー繰り返し単位とを含み、第１のポリマーが第１のバンドギャップを有し、第２のポリマーが、第１のバンドギャップより高い第２のバンドギャップを有し、前記物品が光電池として構成されている、物品。
【請求項２６】
第２のポリマーが、チオフェン部位を含むモノマー繰り返し単位を含む、請求項２５に記載の物品。
【請求項２７】
第１の電極と、
第２の電極と、
第１および第２の電極間の光活性層とを備える物品であって、前記光活性層が電子供与材料と電子受容材料とを含み、
前記光活性層が１５０ｎｍ以上の厚さを有し、前記物品が光電池として構成され、前記物品がＡＭ１．５条件下で４％以上の電力変換効率を有する、物品。
【請求項２８】
前記電子供与材料が、第１のポリマーと、第１のポリマーとは異なる第２のポリマーとを含む、請求項２７に記載の物品。
【請求項２９】
第１のポリマーが、シラシクロペンタジチオフェン部位またはシクロペンタジチオフェン部位を含む第１のコモノマー繰り返し単位と、ベンゾチアジアゾール部位を含む第２のコモノマー繰り返し単位とを含み、第２のポリマーが、チオフェン部位を含むモノマー繰り返し単位を含む、請求項２８に記載の物品。
【請求項３０】
第１のポリマーが、第１および第２のコモノマー繰り返し単位とは異なる第３のコモノマー繰り返し単位をさらに含み、第３のコモノマー繰り返し単位が、シラシクロペンタジチオフェン部位またはシクロペンタジチオフェン部位を含む、請求項２９に記載の物品。